(57)【要約】【課題】引起し装置の上部前面にカバー体を設けた従来構造のものでは、長稈刈取時、各引起しケースの前側ケースとカバー体との間の隙間に穂先が入り込んで引っ掛かり、脱粒が発生する問題があった  本発明の課題は、かかる問題点を解消することを目的とする。【解決手段】本発明は、数条の穀稈を引き起す穀稈引起し装置（８）の上部前面を左右方向に横たわるカバー体（１３）によって被覆すると共に、このカバー体には下縁を後方向きに折曲形成した折曲部（１４）に各引起しケース（１１）の前側ケース（１１ａ）を嵌入する嵌入穴（１５）を設ける。【選択図】        図４
2009005629.tif 000002
【特許請求の範囲】
【請求項１】
複数条の穀稈を引き起す穀稈引起し装置（８）の上部前面を左右方向姿勢のカバー体（１３）によって被覆すると共に、このカバー体（１３）の下縁を後方向きに折曲形成した折曲部（１４）に各引起しケース（１１）の前側ケース（１１ａ）を嵌入する嵌入穴（１５）を設けたことを特徴とする収穫機の穀稈引起し装置。
【発明の詳細な説明】
【技術分野】
【０００１】
この発明は、コンバインや刈取機等の収穫機における穀稈引起し装置に関し、農業機械の技術分野に属する。
【背景技術】
【０００２】
従来、例えば、特許文献１に示すように、多条の穀稈を引き起こす引起し装置の上部前面は、左右横方向に長いカバー体によって被覆するようにしている。
【特許文献１】実開昭６２−２０４４４２号公報
【発明の開示】
【発明が解決しようとする課題】
【０００３】
上記従来のものでは、長稈刈取時、各引起しケースの前ケースとカバー体との間の隙間に穂先が入り込んで引っ掛かり、脱粒が発生する問題があった
本発明の課題は、かかる問題点を解消することを目的とする。
【課題を解決するための手段】
【０００４】
この発明は、上記課題を解決すべく次のような技術的手段を講じた。
すなわち、請求項１記載の本発明は、複数条の穀稈を引き起す穀稈引起し装置（８）の上部前面を左右方向姿勢のカバー体（１３）によって被覆すると共に、このカバー体（１３）の下縁を後方向きに折曲形成した折曲部（１４）に各引起しケース（１１）の前側ケース（１１ａ）を嵌入する嵌入穴（１５）を設けたことを特徴とする収穫機の穀稈引起し装置とする。
【０００５】
各引起しケース１１の前側ケース１１ａは、その上端部がカバー体１３の折曲部１４に設けられた嵌入穴１５に嵌入された状態で取り付けられる。
分草後の立毛穀稈は、引起しケース１１から突出する引起しラグ１２により株元側から穂先側に作用されて引き起される。この引き起される穀稈が長稈の場合には、穂先部が各引起しケース１１上部のカバー体１３に接触することになるが、この場合、カバー体１３は下縁が後向きに折曲されていて、その折曲部１４に設けられた嵌入穴１５に各引起しケース１１の前側ケース１１ａの上端部が嵌入されているので、カバー体１３と前側ケース１１ａ間での穂先部の引っ掛かりがなくなる。
【発明の効果】
【０００６】
以上要するに、請求項１の本発明によれば、カバー体１３と引起しケース１１の前側ケース１１ａとの間に従来のような隙間がなく、引起し後の穀稈の穂先部が入り込んで引っ掛かることがなくなり、脱粒を未然に防止することができる。
【発明を実施するための最良の形態】
【０００７】
この発明の実施例を図面に基づき説明する。
図１及び図２は、コンバインを示すものであり、この走行車体１には、左右一対の走行クローラ２，２を備え、後部に搭載した脱穀装置３の前方部に刈取部４を設置し，刈取部４の横側部には運転席や操作ボックス等を内装する運転キャビン５を備え、更に、その運転キャビンの後方には脱穀粒を一時的に貯留するグレンタンク６を装備している。
【０００８】
刈取部４は、立毛する穀稈を左右に分草する分草体７，７…と、分草後の穀稈を引き起す６条の穀稈引起し装置８，８，８と、引起し後の穀稈を刈り取る刈取装置９と、刈取後の穀稈を掻込搬送する搬送装置１０等からなり、車体に対し上下に昇降可能に装備している。
【０００９】
穀稈引起し装置８は、引起しチエンを内装し前後に分割可能な引起しケース１１と引起しケースから引起し経路側に突出して穀稈を引き起す引起しラグ１２とからなる。引起しケース１１は、前側ケース１１ａと後側ケース１１ｂとからなり、前側ケース１１ａは後側ケース１１ｂに対し着脱自在に取り付けできる構成としている。各引起しケース１１，１１，…の上部は、その前面が左右横方向に長く構成されたカバー体１３によって被覆される構造になっている。カバー体１３は、下縁が後方向きに折り曲げ形成されてあり、そして、その折り曲げられた折曲部１４には前記前側ケース１１ａの上端を嵌入する穴１５が設けられている。前側ケース１１ａは、カバー体１３の穴１５に差し込んで後側ケース１１ｂに対応位置させて取り付ける構成としている。
【００１０】
また、前記カバー体１３は、図３及び図４に示すように、下縁部の折曲部１４を円弧状に湾曲形成しておくと、この円弧曲面に接触して潜り抜ける穂先部の滑りが良くスムースに案内されることになる。
【００１１】
なお、前記引起しケースの前側にカバー体を配置した構成において、図５及び図６に示す実施例のように、カバー体１３を、前側ケース１１ａの引起し経路側上端部と、これに取り付けたＬ型ピン１６とで挟むように係止保持しておくものであっても、隙間Ｓへの穀稈の入り込みを阻止することができ、穂先部は引っ掛かることなくピン下部をスムースに通過させることができる。
【００１２】
図７、図８は、搬送チエンのテンション構造を示すもので、搬送チエン１９に係合してテンションするテンションスプロケット２１は、搬送チエン１９を巻回するスプロケット軸２２を支点として揺動可能なテンションアーム２０に軸支している。テンションスプロケット２１は、圧縮スプリング２３によってチエン１９側に張圧されるようになっている。圧縮スプリング２３内にスライドチューブ２４を挿入し、スライドチューブ２４にはスプリング２３を受ける座金２５とナット２６を溶接し、スライドチューブ内にテンションアーム２３を押し付けるロッド２７と押しボルト２８を挿入している。支持ホルダー２９には前記スライドチューブ２４とロッド２７を保持している。３０はロックナットを示す。押しボルト２８を締め込むと、スライドチューブ２４が引き寄せられてスプリング２３が圧縮されてテンション作用が働き、ロッド２７を介してテンションアーム２０が張り方向に揺動変位される。
【００１３】
上記テンション構造によれば、組付け時、調整時には機体外側より押しボルトを締めることにより、スプリングを圧縮できるため、動力工具の使用が可能となる。また、支持ホルダーに挿入する部分は、チューブとロッドの円筒面（ネジ部がない）であるため磨耗しても分解することができる。
【００１４】
また、図９及び図１０に示すように、スライドチューブ２４には段付き部２４ａを設けることにより、これが支持ホルダー２９とロックし、ストッパになることにより締め過ぎなどの過大な外力によるアシュク圧縮スプリングの破損を防止できる。また、この段付き部２４ａを小判型にすることにより、締め付け時の共周りを規制でき、インパクトレンチのみで締め付けすることができる。
【００１５】
図１１〜図１３に示すように、刈取部の上方を覆う防塵カバー３１は、これに設けたガイドレール３２をその前方にあるローラ３３上に架設し前後方向にスライド移動させて開閉する。ローラ３３を軸支する支持ステー３４は、刈取部本体側の刈取フレーム３６に装着するが、この支持ステー３４を刈取フレーム側ステー３４ａとローラ側ステー３４ｂとに分割して両者をボルト３７等で締付固定する構成としている。防塵カバーのない刈取部にオプションとして後付する場合に、ローラ側ステー３４ｂを刈取フレーム側ステー３４ａに装着することで、防塵カバーの後付が容易にできる。
【００１６】
また、防塵カバー３１を開けた時に、この防塵カバーを係止保持するためのクリップ３８の取付ステー３９においても、刈取フレーム側ステー３９ａとクリップ側ステー３９ｂとに分割して両者をボルト３７等で締付固定するようにしている。従って、防塵カバーを後付する場合には、クリップ側ステー３９ｂを刈取フレーム側ステー３９ａに取り付けることで、防塵カバーをオプションとして取り付けることができる。
【００１７】
扱深さ調節装置を穀稈の長短に応じて浅扱ぎ、深扱ぎ状態に移動調節するが、その移動調節は、支点Ｐ回りに揺動可能なスイングアーム４０の途中部に設けた扱深さ調節レバー４１の揺動操作によって行う。スイングアーム４０の上端にはインジケータ４２を設け、このインジケータ４２の移動位置と扱ぎ深さ「浅」「深」表示マーク４３との照合によって扱ぎ深さの調節範囲が容易に確認できる。
【００１８】
図１４〜図１７に示す実施例は、刈取前処理部（引起し装置や刈取装置）を高低２段の変速が可能な構成とすることで、低脱粒品種適応性並びに倒伏穀稈適応性向上を図るようにしている。そして、かかる実施例では、この刈取変速切替機構と、走行速度を無段変速する油圧式無段変速装置（ＨＳＴ）の変速レバーとを連動させた構成としている。  
【００１９】
すなわち、刈取懸架台４５に架設された刈取入力軸４６回りに上下回動する刈取メインフレーム４７の適所には、高低２段の変速ギヤ４８Ｈ，４８Ｌを内装する変速ギヤケース４９を備え、刈取変速切替機構の一例として操作ワイヤー５０を引くと、シフタアーム５１及びシフタを介して変速ギヤ４８Ｌへの低速側に切り替わるようになっている。また、走行速を無段変速する変速レバー（ＨＳＴレバー）５２は、運転席横側のサイド操作ボックス５３上に設置され、前進高速案内経路Ｈと前進低速案内経路Ｌと後進案内経路ＲとからなるＹ型案内経路５４に沿わせて操作する構成としている。例えば、穀稈が倒伏している場合には、変速レバー５２を前進高速案内経路Ｈに沿わせて操作すると、機体の前進走行速度に応じて引起し速度が速くなり、倒伏穀稈を確実に引き起すことができる。
【００２０】
なお、前記操作ワイヤー５０の変速ギヤケース４９側の取付部５０ａは、刈取メインフレーム４７の刈取上下軸芯（刈取入力軸４６芯）近くに設定しておくと、ワイヤーの屈曲を防止することができて操作性が向上する。
【図面の簡単な説明】
【００２１】
【図１】コンバインの側面図
【図２】コンバインの正面図
【図３】刈取部の側面図
【図４】同上要部の側面図
【図５】穀稈引起し装置の要部の正面図
【図６】同上要部の側面図
【図７】搬送装置の要部の平面図
【図８】同上側面図
【図９】同上要部の拡大側面図、
【図１０】図９のＳ１−Ｓ２断面図
【図１１】刈取部に備えた防塵カバーの側面図
【図１２】同上要部の平面図
【図１３】同上要部の正面図
【図１４】刈取部の変速ギヤケース部の平断面図
【図１５】同上要部の平面図
【図１６】同上要部の側面図
【図１７】変速操作部の平面図
【符号の説明】
【００２２】
４        刈取部
８        穀稈引起し装置                                                        
１１      引起しケース
１１ａ    前側カバー
１３      カバー体
１４      折曲部
１５      嵌入穴
【図１】
2009005629.tif 000003
【図２】
2009005629.tif 000004
【図３】
2009005629.tif 000005
【図４】
2009005629.tif 000006
【図５】
2009005629.tif 000007
【図６】
2009005629.tif 000008
【図７】
2009005629.tif 000009
【図８】
2009005629.tif 000010
【図９】
2009005629.tif 000011
【図１０】
2009005629.tif 000012
【図１１】
2009005629.tif 000013
【図１２】
2009005629.tif 000014
【図１３】
2009005629.tif 000015
【図１４】
2009005629.tif 000016
【図１５】
2009005629.tif 000017
【図１６】
2009005629.tif 000018
【図１７】
2009005629.tif 000019